(57)【要約】【課題】熱交換器積層体の口開きを防ぐための固定作業において、その作業工数を大幅に減らすことができ、効率的に固定作業を行うことができる固定器具を提供する。【解決手段】複数の熱交換器Ｈ１、Ｈ２、Ｈ３が積層されており、曲げ部Ｂを有した熱交換器積層体Ｈの端部を積層方向に対して固定するための固定器具１００であって、一端部に少なくとも一方の最外層の熱交換器と係合する係合部２１を有し、他端部に他方の最外層の熱交換器にねじ止めされるねじ止め部２２を有したバンド部材２を備えた。【選択図】図１
2015094531.tif 000002
【特許請求の範囲】
【請求項１】
複数の熱交換器が積層されており、曲げ部を有した熱交換器積層体の端部を積層方向に対して固定するための固定器具であって、
一端部に少なくとも一方の最外層の熱交換器と係合する係合部を有し、他端部に他方の最外層の熱交換器にねじ止めされるねじ止め部を有したバンド部材を備えたことを特徴とする固定器具。
【請求項２】
少なくとも最外層の熱交換器にそれぞれ設けられるエンドプレートをさらに備え、
前記一方の最外層の熱交換器に設けられたエンドプレートに形成された、前記係合部と係合する被係合部と、
前記他方の最外層の熱交換に設けられたエンドプレートに形成され、前記ねじ止め部がねじ止めされるねじ穴と、を備えた固定器具。
【請求項３】
前記熱交換器積層体が、３つ以上の熱交換器が積層されたものであって、
前記係合部が、前記一方の最外層の熱交換器と前記一方の最外層の熱交換器に隣接する熱交換器の２つに係合するよう構成された請求項１又は２記載の固定器具。
【請求項４】
前記熱交換器積層体が、３つ以上の熱交換器が積層されたものであって、
前記エンドプレートが各熱交換機の端部にそれぞれ設けられており、
前記被係合部が、前記一方の最外層の熱交換器に設けられたエンドプレートと、当該一方の最外層の熱交換器に隣接する熱交換器に設けられたエンドプレートと、にそれぞれ形成された被係合穴が連通したものであり、
前記係合部が、前記被係合穴に差し込まれる係合爪である請求項２又は３記載の固定器具。
【請求項５】
各最外層の熱交換器に設けられるエンドプレートがそれぞれ同形状である請求項１乃至４いずれかに記載の固定器具。
【請求項６】
前記バンド部材が、概略長方形状の板材を曲げて形成されたものであり、その幅寸法が２４ｍｍ〜３２ｍｍに設定されている請求項１乃至５いずれかに記載の固定器具。
【請求項７】
前記バンド部材が、長尺方向に延びるビードを備えたものである請求項６記載の固定器具。
【請求項８】
請求項１乃至７いずれかに記載の固定器具で固定された熱交換器積層体を具備する室外機。
【発明の詳細な説明】
【技術分野】
【０００１】
本発明は、複数の熱交換器が積層されており、曲げ部を有した熱交換器積層体の端部を積層方向に対して固定するための固定器具に関するものである。
【背景技術】
【０００２】
空気調和装置の室外器における熱交換効率を高めるために、複数の熱交換器を積層した熱交換器積層体が用いられることがある。このような熱交換器積層体は、室外機のケーシングの形状等に合わせて、曲げられており例えば概略Ｌ字状やＵ字状に形成されている。
【０００３】
積層された熱交換器は外周側にあるものの方が曲げ部での変形量が大きく、放っておくと各熱交換器は外側へと広がって口開きが生じてしまい、各熱交換器間の隙間を一定に保てなくなってしまう。そして、各熱効交換器間の隙間を一定に保てないと、設計通りの熱交換効率を達成できなくなる。
【０００４】
そこで、特許文献１に示されるように積層された熱交換器をそれぞれ積層方向に固定する固定器具が用いられている。この固定器具は、概略Ｚ字状の平板であって、その各端部が各熱交換器において冷媒チューブが露出する各露出端面にそれぞれ１つずつねじ止めされるものである。
【０００５】
しかしながら、このようなものでは熱交換器積層体の端部を１箇所固定するために２回ねじ止めを行わなくてはならず、端部全体において口開きが生じないようにするには熱交換器積層体の端部を複数箇所固定しなくてはならないことを考えると、固定作業には非常に手間がかかり作業効率がよくない。
【先行技術文献】
【特許文献】
【０００６】
【特許文献１】特公平８−３３７２号公報
【発明の概要】
【発明が解決しようとする課題】
【０００７】
そこで、本発明は上述したような問題を鑑みてなされたものであり、熱交換器積層体の口開きを防ぐための固定作業において、その作業工数を大幅に減らすことができ、効率的に固定作業を行うことができる固定器具を提供することを目的とする。
【課題を解決するための手段】
【０００８】
すなわち、本発明の固定器具は、複数の熱交換器が積層されており、曲げ部を有した熱交換器積層体の端部を積層方向に対して固定するための固定器具であって、一端部に少なくとも一方の最外層の熱交換器と係合する係合部を有し、他端部に他方の最外層の熱交換器にねじ止めされるねじ止め部を有したバンド部材を備えたことを特徴とする。
【０００９】
ここで、熱交換器と係合するとは熱交換器自体に直接係合すること、又は、熱交換器に取り付けられた部材を介して間接的に係合することを含む概念である。なお、熱交換器にねじ止めされるについても同様である。
【００１０】
このようなものであれば、前記バンド部材の一端部は前記一方の最外層の熱交換器に対して係合部で係合されるだけであり、前記バンド部材の他端部のねじ止め部を１箇所だけ他方の最外層の熱交換器に対してねじ止めするだけで、熱交換器積層体の口開きを防ぐことができる。
【００１１】
したがって、従来に比べて熱交換器積層体の端部における１箇所の固定につき、ねじ止めする回数を半分の１回に低減できるので、大幅に固定作業の工数を減らして作業効率を向上させることができる。
【００１２】
前記バンド部材の各端部をそれぞれ熱交換器に取り付けやすくし、さらに作業効率を高めるには、少なくとも最外層の熱交換器にそれぞれ設けられるエンドプレートをさらに備え、前記一方の最外層の熱交換器に設けられたエンドプレートに形成された、前記係合部と係合する被係合部と、前記他方の最外層の熱交換に設けられたエンドプレートに形成され、前記ねじ止め部がねじ止めされるねじ穴と、を備えたものであればよい。
【００１３】
前記熱交換器積層体が、３つ以上の熱交換器が積層されたものであっても、内側において各熱交換器に挟まれている熱交換器についても積層方向に対して十分に固定されるようにするには、前記係合部が、前記一方の最外層の熱交換器と前記一方の最外層の熱交換器に隣接する熱交換器の２つに係合するよう構成されたものであればよい。
【００１４】
前記熱交換器積層体が、３つ以上の熱交換器が積層されたものにおいて、口開きを防ぐだけではなく、内側にある熱交換器の積層方向に対して垂直な方向に対してもずれないようにするには、前記エンドプレートが各熱交換機の端部にそれぞれ設けられており、前記被係合部が、前記一方の最外層の熱交換器に設けられたエンドプレートと、当該一方の最外層の熱交換器に隣接する熱交換器に設けられたエンドプレートと、にそれぞれ形成された被係合穴が連通したものであり、前記係合部が、前記被係合穴に差し込まれる係合爪であればよい。
【００１５】
固定作業の工数を低減できるという効果を享受しつつ、構成部品の共通化によって固定器具の製造コストを低減できるようにするには、各最外層の熱交換器に設けられるエンドプレートがそれぞれ同形状であればよい。
【００１６】
前記熱交換器積層体に固定された前記バンド部材が、前記熱交換器積層体からかかる力によって大きく変形せず十分に口開きを防ぐことができる曲げ剛性を得られるようにするには、前記バンド部材が、概略長方形状の板材を曲げて形成されたものであり、その幅寸法が２４ｍｍ〜３２ｍｍに設定されていればよい。また、このような幅寸法に設定することによって、前記被係合穴において変形が生じたとしても前記係合爪が大きく変形する等して前記係合穴から外れてしまうこと等を防ぐことができる局部剛性を前記係合爪に与えることができる。さらに、前記幅寸法を大きくし過ぎると、前記ねじ止め部をねじ止めして前記バンド部材を前記エンドプレートに締結する際に異音が発生してしまうが、前述したような幅寸法に設定することで異音が発生することを防げる。なお、上述したような効果を顕著となる最も好ましい幅寸法としては、前記幅寸法が３０ｍｍに設定されたものが挙げられる。
【００１７】
前記バンド部材の曲げ剛性をさらに確保しやすくするには、前記バンド部材が、長尺方向に延びるビードを備えたものであればよい。
【００１８】
本発明の固定器具で固定された熱交換器積層体を具備する室外機であれば、設置時における作業量を大幅に低減し、短時間での設置が可能となる。
【発明の効果】
【００１９】
このように本発明の固定器具によれば、前記バンド部材の一端部である係合部を前記一方の最外層の熱交換器に対して係合させ、前記バンド部材の他端部であるねじ止め部を１箇所だけ他方の最外層の熱交換器に対してねじ止めするだけで、熱交換器積層体の口開きを防ぐことができる。したがって、従来に比べて約半分の作業工数で熱交換器積層体の口開きを防ぐように固定することができ、作業効率を大幅に向上させることができる。
【図面の簡単な説明】
【００２０】
【図１】本発明の第１実施形態に係る固定器具の熱交換器積層体に対する取り付け状態を示す模式的斜視図。
【図２】第１実施形態における固定器具が用いられる熱交換器積層体について示す模式図。
【図３】第１実施形態におけるバンド部材及びエンドプレートの詳細について示す模式図。
【図４】本発明の第２実施形態に係る固定器具が用いられる熱交換器積層体について示す模式図。
【図５】第２実施形態におけるバンド部材及びエンドプレートの詳細について示す模式図。
【図６】本発明の第３実施形態に係る固定器具のバンド部材及びエンドプレートの詳細について示す模式図。
【発明を実施するための形態】
【００２１】
本発明の第１実施形態に係る固定器具１００について図１乃至３を参照しながら説明する。
【００２２】
第１実施形態の固定器具１００は、空気調和装置の室外機において用いられる熱交換器積層体Ｈの口開きを防ぐように熱交換器積層体Ｈの端部を固定するためのものである。
【００２３】
前記熱交換器積層体Ｈは、図１に示すように室外機のケーシング内において左右対称に一対配置されるものであり、ケーシングの側面近傍と背面近傍に概略配置されるものである。このため、各熱交換器積層体Ｈについて単体で見た場合、熱交換器積層体Ｈは２箇所の曲げ部Ｂを有しており、上面から見た場合に概略Ｊ字状をなすように形成してある。そして、一対の熱交換器積層体Ｈは概略Ｍ字状をなすように前記ケーシング内に配置される。熱交換器積層体Ｈの一方の端部は、圧縮機等との配管が接続される各熱交換器の配管接続端面が揃えてあり、熱交換器のもう一方の端部は各熱交換器の冷媒チューブＴが露出する露出端面が集めてある。
【００２４】
前記熱交換器積層体Ｈは、図１及び図２（ａ）に示すように３つの熱交換器を積層して、ローラによって２箇所同じ方向へ曲げたものである。以下の説明では、一方の最外層にある熱交換器であり、曲げ部Ｂの曲率中心から見て最も内周側にある熱交換器を第１熱交換器Ｈ１、中央において他の熱交換器に挟まれている熱交換器を第２熱交換器Ｈ２、他方の最外層にある熱交換器であり、曲げ部Ｂの曲率中心から見て最も外周側にある熱交換器を第３熱交換器Ｈ３ともよぶ。
【００２５】
各熱交換器は曲げられる前の状態では図２（ｂ）に示すように、第２熱交換器Ｈ２及び第３熱交換器Ｈ３の全長は同じ長さに設定してあり、第１熱交換器Ｈ１の全長は前記第２熱交換器Ｈ２及び第３熱交換器Ｈ３の全長よりも短く設定してある。第１熱交換器Ｈ１と第２熱交換器Ｈ２の全長の差は、図２（ａ）に示すように積層後に２箇所の曲げ部Ｂを形成した際に、第１熱交換器Ｈ１と第２熱交換器Ｈ２の冷媒チューブＴの露出端面が略同じ位置に揃うようにして設定してある。
【００２６】
一方、図２（ｂ）に示すように曲げられる前の第２熱交換器Ｈ２と第３熱交換器Ｈ３の全長を同じ長さに設定して、熱交換器の共通化による製造コストの低減を図っているため、図２（ａ）に示すように積層後に形成される曲げ部Ｂによって第２熱交換器Ｈ２と第３熱交換器Ｈ３の冷媒チューブＴの露出端面は、第３熱交換器Ｈ３の方が奥側に配置されることになる。
【００２７】
次にこのような熱交換器積層体Ｈの端部を固定する第１実施形態の固定器具１００の詳細について説明する。
【００２８】
図１に示すように前記固定器具１００は、熱交換器積層体Ｈにおいて各熱交換器の冷媒チューブＴの露出端面に設けられるエンドプレート１と、各エンドプレート１に対して係合及びねじ止めされるバンド部材２とから構成してある。前記バンド部材２は、前記熱交換器積層体Ｈの積層方向であり、口開きが生じる方向に取り付けられるものであって、第１実施形態では図１に示すように各熱交換器積層体Ｈの冷媒チューブＴが露出する端部に対して上下方向に２箇所取り付けてある。
【００２９】
前記エンドプレート１は、図３に示すように各熱交換器の冷媒チューブＴの露出端面に取り付けられるものであり、上下方向に延びるレール状の部材である。図３（ｃ）の上面図に示すように第１熱交換器Ｈ１と第３熱交換器Ｈ３に取り付けられるエンドプレート１はその横断面形状が概略Ｊ字状のものであり、同形状に形成してある。一方、第２熱交換器Ｈ２に取り付けられるエンドプレート１は、他のものと形状が異なっており、その断面形状を概略コの字状に形成してある。各エンドプレート１の底面部には前記冷媒チューブＴを通すための穴が形成してあり、側面部には前記バンド部材２と係合させるための被係合スリット１１（被係合穴）と、前記バンド部材２をねじ止めするためのねじ穴１２が形成してある。また、前記被係合スリット１１と前記ねじ穴１２は各エンドプレート１の上下方向において略同じ位置となるように形成してある。
【００３０】
図３（ａ）及び図３（ｂ）に示すように、第１熱交換器Ｈ１と第２熱交換器Ｈ２に取り付けられたエンドプレート１の各被係合スリット１１は、連通するように配置されており、前記バンド部材２と係合する被係合部Ａをなすようにしてある。ここで、被係合部Ａとは後述するバンド部材２の係合部が掛かり留められるものである。
【００３１】
前記バンド部材２は、図１及び図３（ａ）に示すように、長方形状の板金を複数箇所折り曲げたものであって、一端部に一方の最外層の熱交換器である第１熱交換器Ｈ１に少なくともと係合する係合部であり、前記被係合スリット１１に差し込まれる係合爪２１を有し、他端部に他方の最外層の熱交換器である第３熱交換器Ｈ３にねじ止めされるねじ止め部２２を有している。より具体的には、第１実施形態ではこのバンド部材２の他端部は一端部よりも奥行き方向に長く形成してあり、奥側にある第３熱交換器Ｈ３の冷媒チューブＴの露出端面近傍まで届くようにしてある。図３（ａ）及び図３（ｄ）に示すように前記バンド部材２の係合爪２１及びねじ止め部２２以外の中央部の各面には、各面の長尺方向に延びるビードＢＤを形成して、曲げ剛性を高めるようにしてある。
【００３２】
前記バンド部材２の幅寸法、すなわち、図１及び図３（ａ）における上下方向の高さ寸法は、２４ｍｍ〜３２ｍｍの間で設定されるものであり、本実施形態では前記高さ寸法は３０ｍｍに設定してある。このように構成することにより、口開きを防ぐのに十分な曲げ剛性を前記バンド部材２に確保することができる。また、前記被係合スリット１１に差し込まれる係合爪２１における局部剛性を確保することができ、前記被係合スリット１１の変形に対応して、係合状態を維持し続けることができる。さらに、前記ねじ止め部２２が第３熱交換Ｈ３にねじ止めされる際又はねじ止めされている状態で、前記被係合スリット１１に掛かり止められている係合爪２２から異音が発生することも防ぐことができる。
【００３３】
前記バンド部材２の係合部である前記係合爪２１は、熱交換器積層体Ｈの端部を固定する際に、作業者が前記被係合部Ａに対して掛かり留めるものである。より具体的には、前記係合爪２１は、第１熱交換器Ｈ１と第２熱交換器Ｈ２に取りけられたエンドプレート１の各被係合スリット１１の両方を通って各エンドプレート１と係合するものであり、その横幅寸法は前記被係合スリット１１の長さと略同じに設定してある。図１、図３（ｃ）等に示すように前記係合爪２１は、上面から見た場合に概略クランク状に折れ曲がったものであり、段状部分が各被係合スリット１１に通されて、先端部分が前記第２熱交換器Ｈ２に取り付けられたエンドプレート１の内側面に係合するようにしてある。
【００３４】
前記ねじ止め部２２は、他端先端側に形成された平板部と、前記平板部の厚み方向に貫通する貫通穴とを具備するものである。
【００３５】
次にこのように構成された固定器具１００における、バンド部材２の取り付け作業について説明する。
【００３６】
まず、前記バンド部材２の一端部に形成された係合爪２１を第１熱交換器Ｈ１及び第２熱交換器Ｈ２に取り付けられたエンドプレート１の被係合スリット１１の両方に対して通して係合させる。
【００３７】
次に前記バンド部材２の他端部に形成されたねじ止め部２２を第３熱交換器Ｈ３のエンドプレート１の外側面へと近づけて、エンドプレート１に形成されたねじ穴１２と前記貫通穴とを連通させた上で、ねじＳを通し締めあげていく。
【００３８】
このように第１実施形態の固定器具１００であれば、第１熱交換器Ｈ１及び第２熱交換器Ｈ２の被係合スリット１１へ前記バンド部材２の係合爪２１を係合させ、第３熱交換器Ｈ３のエンドプレート１に対して前記バンド部材２のねじ止め部２２をねじ止めするだけで、３つの各熱交換器が積層された熱交換器積層体Ｈの端部を口開きが生じないように固定することができる。
【００３９】
すなわち、１つのバンド部材２を固定するために１回しかねじ止めする必要がないので、従来に比べて作業工数を約半分に低減することができ、作業効率を大幅に向上させることができる。
【００４０】
また、前記係合爪２１は第１熱交換器Ｈ１と第２熱交換器Ｈ２のそれぞれに設けられたエンドプレート１と両方同時に係合させてあるので、前記バンド部材２を各エンドプレート１に取り付けることによって口開きだけでなく、第２熱交換器Ｈ２が積層方向とは垂直な方向である上下方向にずれるのも防ぐことができる。さらに、前記固定器具１００によって各熱交換器間の隙間も一定に保つことができ、設計通りの風の通り抜け状態を維持し、熱交換効率も高い水準に保つことができる。
【００４１】
また、前記バンド部材２のねじ止め部２２は、第３熱交換器Ｈ３のエンドプレート１の外側面部にねじ止めされるようにしてあるので、例えば各冷媒チューブＴの間をぬってエンドプレート１の底面部に固定するためにドライバーや手を入れる場合と比較して、非常に取り付けやすい。このことも固定作業の作業効率を向上させる一因となっている。
【００４２】
加えて、第１熱交換器Ｈ１と第３熱交換器Ｈ３に取り付けられるエンドプレート１の形状は同形状にしてあるので、部品の共通化を図り、製造コストを低減することができる。
【００４３】
次に第２実施形態の固定器具１００について図４及び図５を参照しながら説明する。
【００４４】
第２実施形態の固定器具１００は、図４（ａ）に示すような各熱交換器の冷媒チューブＴの露出端面が揃うよう構成された熱交換器積層体Ｈの端部を積層方向に対して固定するために用いられるものである。すなわち、第２実施形態における熱交換器積層体Ｈにおいては、図４（ｂ）に示すように第１熱交換器Ｈ１、第２熱交換器Ｈ２、第３熱交換器Ｈ３の順番で全長が長くなるように構成することで、２つの曲げ部Ｂが形成された際に冷媒チューブＴの各露出端面が一列に揃うようにしてある。
【００４５】
そして、第２実施形態の固定器具１００は、図５（ｂ）及び（ｃ）に示すように各熱交換器に取り付けられるエンドプレート１は第１実施形態に示したものと同じものであるが、図５（ａ）及び（ｄ）に示すようにバンド部材２についてはその形状を異ならせてある。より具体的には第２実施形態のバンド部材２は、各熱交換器の冷媒チューブＴの露出端面が揃っているので、一端部と他端部の奥行き方向の長さを略同じにしてある。
【００４６】
このような第２実施形態における熱交換器積層体Ｈ及び固定器具１００であっても、第１実施形態と同様に、前記バンド部材２の係合爪２１を第１熱交換器Ｈ１及び第２熱交換器Ｈ２に取り付けられたエンドプレート１の被係合スリット１１にそれぞれ挿入し、係合させておき、前記バンド部材２のねじ止め部２２を第３熱交換器Ｈ３に取り付けられたエンドプレート１に１箇所だけねじ止めすることによって積層方向に対して口開きしないように固定することができる。
【００４７】
すなわち、第２実施形態の場合においても１つのバンド部材２を固定するのに１回しかねじ止めを必要としないので、固定作業における作業工程を従来と比較して約半分に低減し、作業効率を大幅に向上させることができる。
【００４８】
次に第３実施形態の固定器具１００について図６を参照しながら説明する。
【００４９】
第３実施形態の固定器具１００は、熱交換器積層体Ｈが２つの熱交換器が積層されて構成されている場合に用いられるものである。
【００５０】
なお、第３実施形態においては、一方の最外層の熱交換器であり、曲げ部Ｂの曲率中心から見て内周側にある熱交換器を第１熱交換器Ｈ１、他方の最外層の熱交換器であり、曲げ部Ｂの曲率中心から見て外周側にある熱交換器を第２熱交換器Ｈ２ともよぶこととする。
【００５１】
第３実施形態では、図５（ｂ）及び（ｃ）に示すように第１熱交換器Ｈ１に取り付けられるエンドプレート１が第１及び第２実施形態での中央の熱交換器に取り付けられていたエンドプレート１と同形状のものであり、第２熱交換器Ｈ２には、第１及び第２実施形態で最外層の熱交換器に取り付けられていたものと同形状のものが取り付けてある。
【００５２】
前記バンド部材２は、図５（ａ）及び（ｄ）に示すように第１及び第２実施形態と比較して１層分熱交換器が少ないのに合わせて、積層方向の長さ寸法を熱交換器１個分の厚さだけ短く形成してある。
【００５３】
そして、第３実施形態のバンド部材２は、係合爪２１を第１熱交換器Ｈ１に取り付けられたエンドプレート１の被係合スリット１１に通して、エンドプレート１の側板と係合させ、その後、ねじ止め部２２を第２熱交換器Ｈ２に取り付けられたエンドプレート１にねじ止めするだけで、熱交換器積層体Ｈの口開きを防ぐように固定することができる。
【００５４】
つまり、第３実施形態の固定器具１００においても１つのバンド部材２を固定するためには、１箇所しかねじ止めする必要がなく、従来と比べて固定作業における作業工数を約半分にし、作業効率を大幅に向上させることができる。また、前記バンド部材２の形状を熱交換器の積層数や寸法に合わせて適宜変更することによって、どのような熱交換器積層体Ｈの端部についても口開きが生じないように固定することができる。
【００５５】
その他の実施形態について説明する。
【００５６】
前記実施形態では、一方の最外層にある熱交換器を内周側にある熱交換器、他方の最外層にある熱交換器を外周側にある熱交換器とした場合について説明したが、この関係は逆であってもよい。言い換えると、第１及び第２実施形態においてバンド部材の係合爪は第１熱交換器に係合し、ねじ止め部は第３熱交換器にねじ止めされていたが、係合爪が第３熱交換器に係合して、ねじ止め部が第１熱交換器にねじ止めされてもよい。
【００５７】
また、前記実施形態では各熱交換器にエンドプレートを取り付けていたが、係合爪が直接熱交換器に係合してもよいし、ねじ止め部が熱交換器に直接ねじ止めされてもよい。例えば、他方の最外層の熱交換器に設けられたエンドプレートに対して前記ねじ止め部がねじ止めされ、一方、前記係合爪が一方の最外層の熱交換器において端面で露出している冷媒チューブに対して係合するようなものであってもよい。加えて、例えば第１及び第２実施形態のように３つの熱交換器からなる熱交換器積層体の端部を固定する場合、エンドプレートを第１熱交換器と第２熱交換器にのみ設けて、前記係合爪が第１熱交換器とのみ係合されるようにしてもよい。すなわち、第１熱交換器と第３熱交換器に挟まれている第２熱交換器が前記バンド部材と接触しない形にしても構わない。
【００５８】
前記各実施形態では、係合爪が挿入される被係合穴はスリット状に形成されていたが、係合爪の形状に合わせて適宜その形状を決定すればよい。さらに、前記係合部と前記被係合部で構成される係合構造については、前記各実施形態で示したものとは逆の関係を有するものであってもよい。すなわち、前記係合部を被係合スリット又は被係合穴として形成し、前記被係合部を係合爪として構成しても構わない。また、前記バンド部材の一端部と他端部を連結する中央部の形状は各実施形態に示したものに限らず、例えば湾曲形状として形成し、弾性力が発生するようにしてより口開きを抑えられるようにしても構わない。
【００５９】
前記各実施形態では、熱交換器積層体は、２つ又は３つの熱交換器が積層されたものであったが、本発明は４つ以上熱交換器が積層された熱交換器積層体に対しても適用することができる。
【００６０】
その他、本発明の趣旨に反しない限りにおいて様々な変形や実施形態の組み合わせを行っても構わない。
【符号の説明】
【００６１】
１００・・・固定器具
１    ・・・エンドプレート
１１  ・・・被係合スリット（被係合穴）
１２  ・・・ねじ穴
２    ・・・バンド部材
２１  ・・・係合爪（係合部）
２２  ・・・ねじ止め部
Ａ    ・・・被係合部
Ｈ    ・・・熱交換器積層体
Ｈ１  ・・・第１熱交換器
Ｈ２  ・・・第２熱交換器
Ｈ３  ・・・第３熱交換器
Ｔ    ・・・冷媒チューブ
Ｓ    ・・・ねじ
【図１】
2015094531.tif 000003
【図２】
2015094531.tif 000004
【図３】
2015094531.tif 000005
【図４】
2015094531.tif 000006
【図５】
2015094531.tif 000007
【図６】
2015094531.tif 000008